(57)【特許請求の範囲】
【請求項１】
床面に載置され、Ｏ脚を矯正するためのトレーニングを行うためのＯ脚矯正器具であって、
左右一対であり、上面側から使用者の足が載置される足乗せ部と、
左右一対の前記足乗せ部に、それぞれ固定され、その少なくとも一部が前記足乗せ部の下面側から突出する左右一対の回動部と、を備え、
左右一対の前記回動部は、それぞれ、
前記足乗せ部に固定される固定部と、
前記固定部と回動自在に係合され、前記足乗せ部の下面側から突出した位置に前記床面と当接する床当接面を有し、垂直方向に延びる軸部と、
垂直方向に延び、上端が前記固定部に固定され、下端が前記軸部に固定されているスプリングと、を有し、
前記スプリングは、前記軸部の中心に配置されたスプリング本体と、前記スプリング本体の上端から水平方向に延び、前記固定部に固定された固定部受け部と、前記スプリング本体の下端から水平方向に延び、前記軸部に固定された軸部受け部と、を有し、
左右一対の前記足乗せ部に、両足をそれぞれ乗せ、つま先側を開くように前記足乗せ部を回動させると、前記足乗せ部に固定された前記固定部が、前記床面と接する前記軸部に対して回動し、前記固定部に固定された前記スプリングにより、つま先側を閉じる方向に付勢されるＯ脚矯正器具。
【発明の詳細な説明】
【技術分野】
【０００１】
本発明は、Ｏ脚矯正器具に関し、詳しくは、床面に載置され、Ｏ脚を矯正するためのトレーニングを行うためのＯ脚矯正器具に関する。
【背景技術】
【０００２】
従来、立位の姿勢で、つま先と踵をくっつけた状態で両膝の間に隙間がある場合、Ｏ脚と診断される。Ｏ脚は、両脚の大腿骨が内側に回ることで両膝が内旋して、両膝の距離が拡がることに起因する。このため、股関節の外旋筋を鍛えることで、外旋筋の力で両脚を外側に回して両膝を正常な状態に維持することが可能となり、Ｏ脚の矯正を行うことができる。
【０００３】
そこで、特許文献１には、使用者の両足にそれぞれ装着される一対の足装具と、一対の足装具の爪先部同士を連結する爪先側連結部材とを備えており、爪先側連結部材は、一対の足装具を、踵部を中心に回動させることにより、弾性伸縮可能に構成されているＯ脚矯正用装具が提案されている。
特許文献１のＯ脚矯正用装具によれば、手軽で効果的なトレーニングを可能にすることで、Ｏ脚の矯正を良好に行うことができる。
【先行技術文献】
【特許文献】
【０００４】
【特許文献１】特開２０１４−１１３１８２号公報
【発明の概要】
【発明が解決しようとする課題】
【０００５】
ところで、Ｏ脚を矯正するためのトレーニングは、継続的に行うのが好ましい。このため、場所を選ばす、効果的なトレーニングを、素早く始められるＯ脚矯正器具が望まれている。
【０００６】
本発明は、コンパクトで、効果的なトレーニングを、素早く始められるＯ脚矯正器具を提供することを目的とする。
【課題を解決するための手段】
【０００７】
床面に載置され、Ｏ脚を矯正するためのトレーニングを行うためのＯ脚矯正器具であって、
左右一対であり、上面側から使用者の足が載置される足乗せ部と、
左右一対の前記足乗せ部に、それぞれ固定され、その少なくとも一部が前記足乗せ部の下面側から突出する左右一対の回動部と、を備え、
左右一対の前記回動部は、それぞれ、
前記足乗せ部に固定される固定部と、
前記固定部と回動自在に係合され、前記足乗せ部の下面側から突出した位置に前記床面と当接する床当接面を有し、垂直方向に延びる軸部と、
垂直方向に延び、上端が前記固定部に固定され、下端が前記軸部に固定されているスプリングと、を有し、
前記スプリングは、前記軸部の中心に配置されたスプリング本体と、前記スプリング本体の上端から水平方向に延び、前記固定部に固定された固定部受け部と、前記スプリング本体の下端から水平方向に延び、前記軸部に固定された軸部受け部と、を有し、
左右一対の前記足乗せ部に、両足をそれぞれ乗せ、つま先側を開くように前記足乗せ部を回動させると、前記足乗せ部に固定された前記固定部が、前記床面と接する前記軸部に対して回動し、前記固定部に固定された前記スプリングにより、つま先側を閉じる方向に付勢されるＯ脚矯正器具。
【０００８】
（１）の発明によれば、Ｏ脚矯正器具は、床面に載置され、Ｏ脚を矯正するためのトレーニングを行うための物であり、足乗せ部と、回動部と、を備える。
足乗せ部は、左右一対であり、上面側から使用者の足が載置される。
回動部は、足乗せ部に固定され、その少なくとも一部が足乗せ部の下面側から突出し、固定部と、軸部と、を有する。
固定部は、足乗せ部に固定される。
軸部は、固定部と回動自在に係合され、足乗せ部の下面側から突出した位置に床面と当接する床当接面を有し、垂直方向に延びている。
そして、足乗せ部に固定される固定部には、軸部を中心に所定方向に回動させたきに、所定方向とは反対方向に戻る力が発生する。
【０００９】
このようなＯ脚矯正器具は、左右それぞれを、使用者の足が載置される足乗せ部と、足乗せ部の下面側から突出する回動部と、のみで構成した。このため、例えば、一対の足乗せ部を回動自在に共に支持する部材を設けた場合に比べ、コンパクトに構成できる。
また、使用者は、左右の足乗せ部に、両足をそれぞれ乗せ、外旋筋の力で、つま先側を開くように足乗せ部を回動させると、足乗せ部に固定された固定部には、つま先側を閉じる方向に戻る力が発生するので、効果的な外旋筋のトレーニングが可能となる。
更に、使用者は、例えば、床に載置されたＯ脚矯正器具の左右の足乗せ部に、両足をそれぞれ乗せるだけで、トレーニングを始めることができる。
したがって、コンパクトで、効果的なトレーニングを、素早く始められるＯ脚矯正器具を提供できる。
また、使用者が左右の足乗せ部に、両足をそれぞれ乗せ、つま先側を開くように足乗せ部を回動させると、スプリングにより、つま先側を閉じる方向に付勢されるので、効果的なトレーニングが可能となる。
【発明の効果】
【００１４】
本発明によれば、コンパクトで、効果的なトレーニングを、素早く始められるＯ脚矯正器具を提供できる。
【図面の簡単な説明】
【００１５】
【図１】本発明の第１実施形態に係るＯ脚矯正器具１の斜視図である。
【図２】前記第１実施形態に係るＯ脚矯正器具１の底面図である。
【図３】前記第１実施形態に係るＯ脚矯正器具１の側面図である。
【図４】前記第１実施形態に係る回動部２０を説明する図である。図４（ａ）は、回動部２０の平面図である。図４（ｂ）は、（ａ）に示す回動部２０のＡＡ断面図である。
【図５】前記第１実施形態に係るＯ脚矯正器具１の動作を説明する図である。図５（ａ）は、Ｏ脚矯正器具１の平面図である。図５（ｂ）は、Ｏ脚矯正器具１の側面図である。
【図６】本発明の第２実施形態に係るＯ脚矯正器具１Ａの底面図である。
【図７】前記第２実施形態に係るＯ脚矯正器具１Ａの側面図である。
【図８】前記第２実施形態に係る回動部２０Ａの断面図である。
【発明を実施するための形態】
【００１６】
以下、本発明の実施形態を図面に基づいて説明する。以下に説明において、同様に構成には、同一の符号を付し、その説明を省略又は簡略する。
［第１実施形態］
図１は、本発明の第１実施形態に係るＯ脚矯正器具１の斜視図である。
Ｏ脚矯正器具１は、床面に載置され、Ｏ脚を矯正するためのトレーニングを行うための物であり、左右一対の足乗せ部１０と、足乗せ部１０に取り付けられた回動部２０と、を備える。
足乗せ部１０は、上面側から使用者の足が載置される。詳細には、足乗せ部１０は、上面側に、使用者の足が載置され、使用者の足の外形より僅かに大きい外形を有する穴である足収容部１１と、足収容部１１の下において、回動部２０が取り付けられたソール部１２と、を備える。
【００１７】
図２は、前記第１実施形態に係るＯ脚矯正器具１の底面図である。
図３は、前記第１実施形態に係るＯ脚矯正器具１の側面図である。
図２及び図３においては、Ｏ脚矯正器具１の左足側のみを示している。なお、Ｏ脚矯正器具１の右足側は、左足側と左右対称である以外は同一の構成であるので、図及び説明を省略する。
【００１８】
ソール部１２には、底面１２ａの先端側（使用者の足が載置された場合のつま先側）及び後端側（使用者の足が載置された場合の踵側）に、表面が平滑に形成された滑りシート１２１が設けられている。
詳しくは後述するが、図３に示すように、回動部２０の一部は、ソール部１２の底面１２ａより突出する。滑りシート１２は、回動部２０の突出した部分の厚さより、薄い厚さで形成され、その縁が面取りされている。
【００１９】
図３に示すように、回動部２０は、足乗せ部１０に固定され、その少なくとも一部が足乗せ部１０の下面である底面１２ａ側から突出し、固定部２１と、軸部２２と、ベアリング２３と、を有する。
固定部２１は、足乗せ部１０のソール部１２に固定されている。
【００２０】
図４は、前記第１実施形態に係る回動部２０を説明する図である。図４（ａ）は、回動部２０の平面図である。図４（ｂ）は、（ａ）に示す回動部２０のＡＡ断面図である。
軸部２２は、固定部２１と回動自在に係合され、足乗せ部１０の底面１２ａから突出した位置に床面と当接する床当接面２２ａを有し、垂直方向に延びている。
【００２１】
詳細には、図４（ｂ）に示すように、固定部２１は、その上面において、足乗せ部１０を支持し、円板形状に形成された天板部２１１と、天板部２１１の下面から下方に延出し、円筒形状に形成された内壁部２１２とを備え、内壁部２１２の外周面には螺旋形状の固定部溝２１２ａが形成されている。
【００２２】
軸部２２は、床面と当接する床当接面２２ａを有する底板２２１と、底板２２１の外縁から上方に立設し、固定部２１の内壁部２１２の外径より僅かに大きい内径の円筒形状に形成された外壁部２２２とを備え、外壁部２２２の内周面には、固定部溝２１２ａと同じ形状の軸部溝２２２ａが形成されている。
図３に示す一点鎖線は、固定部２１の固定部溝２１２ａ及び軸部２２の固定部溝２１２ａの軌道を示している。
【００２３】
ベアリング２３は、複数の球体からなり、固定部溝２１２ａと軸部溝２２２ａとの間に配置されている。なお、図３及び図４では、複数の球体の一部のみを示しているが、複数の球体は、固定部溝２１２ａの全長に亘って保持されている。
【００２４】
次に、前記第１実施形態に係るＯ脚矯正器具１の動作を説明する。
図５は、前記第１実施形態に係るＯ脚矯正器具１の動作を説明する図である。図５（ａ）は、Ｏ脚矯正器具１の平面図である。図５（ｂ）は、Ｏ脚矯正器具１の側面図である。
使用者は、左右一対の足乗せ部１０に、両足をそれぞれ乗せ、図５中点線で示す状態から、つま先側を開くように足乗せ部１０を回動させ、図５中実線で示す状態とする。これにより、足乗せ部１０には、つま先側を開く方向とは反対方向に戻る力が発生する。
詳細には、使用者が左右の足乗せ部１０に、両足をそれぞれ乗せ、つま先側を開くように足乗せ部１０を回動させると、足乗せ部１０に固定された固定部２１（図４参照）は、軸部２２（図４参照）における螺旋形状の軸部溝２２２ａ（図４参照）に沿って回動しながら上方に移動する。このとき、使用者の体重による下方に向かう力は、固定部２１の固定部溝２１２ａ（図４参照）、軸部２２の軸部溝２２２ａ及びこれらの間に配置されたベアリング２３（図４参照）により、つま先側を閉じる方向へ回動させる力となる。即ち、足乗せ部１０には、使用者の体重により、つま先側を閉じる方向に回動する力が発生する。
【００２５】
このような第１実施形態によれば、固定部溝２１２ａ、軸部溝２２２ａ及びベアリング２３を設け、回動しながら上にあがる構造により、足乗せ部１０に固定された固定部２１を螺旋回転させることで、足乗せ部１０にスプリングのような負荷をかけることができる。また、ベアリング２３は、スプリングのような劣化が少ないので、長持ちするＯ脚矯正器具１を提供できる。
【００２６】
［第２実施形態］
次に、本発明の第２実施形態に係るＯ脚矯正器具１Ａについて説明する。
第２実施形態に係るＯ脚矯正器具１Ａは、主に、回動部２０Ａの構成が第１実施形態のＯ脚矯正器具１と異なる。
図６は、本発明の第２実施形態に係るＯ脚矯正器具１Ａの底面図である。
図７は、前記第２実施形態に係るＯ脚矯正器具１Ａの側面図である。
図６及び図７においては、Ｏ脚矯正器具１Ａの左足側のみを示している。なお、Ｏ脚矯正器具１Ａの右足側は、左足側と左右対称である以外は同一の構成であるので、図及び説明を省略する。
【００２７】
Ｏ脚矯正器具１Ａは、床面に載置され、Ｏ脚を矯正するためのトレーニングを行うための物であり、左右一対の足乗せ部１０と、足乗せ部１０に取り付けられた回動部２０Ａと、を備える。
【００２８】
図８は、前記第２実施形態に係る回動部２０Ａの断面図である。
回動部２０Ａは、足乗せ部１０に固定され、その少なくとも一部が足乗せ部１０の下面である底面１２ａ側から突出し、固定部２１Ａと、軸部２２Ａと、スプリング２３Ａと、を有する。
【００２９】
固定部２１Ａは、円板形状に形成され、その上面が足乗せ部１０のソール部１２に固定され、その下面にスプリング２３Ａが接続されている。
【００３０】
軸部２２Ａは、床面と当接する床当接面２２ａを有する底板２２１Ａと、底板２２１Ａの外縁から上方に立設し、固定部２１の外径と略同じ外径の円筒形状に形成された外壁部２２２Ａとを備え、外壁部２２２Ａの内部にはスプリング２３Ａが収容されている。
底板２２１Ａは、床当接面２２ａに、滑り止めとしてゴム板２２１ａを備える。
【００３１】
スプリング２３Ａは、軸部２２Ａの中心は配置されたスプリング本体２３１Ａと、スプリング本体２３１Ａの上端から水平方向に延び、固定部２１Ａに固定された固定部受け部２３２Ａと、スプリング本体２３１Ａの下端から水平方向に延び、軸部２２Ａに固定された軸部受け部２３３Ａと、を備えている。
【００３２】
このような第２実施形態に係るＯ脚矯正器具１Ａによれば、使用者が左右の足乗せ部１０に、両足をそれぞれ乗せ、つま先側を開くように足乗せ部１０を回動させると、足乗せ部１０に固定された固定部２１Ａが、床面と接する軸部２２Ａに対して回動する。すると、固定部２１Ａに固定されたスプリング２３Ａにより、つま先側を閉じる方向に付勢されるので、効果的なトレーニングが可能となる。
【００３３】
以上、第１実施形態のＯ脚矯正器具１及び第２実施形態のＯ脚矯正器具１Ａによれば、左右それぞれを、使用者の足が載置される足乗せ部１０と、足乗せ部１０の下面側から突出する回動部２０，２０Ａと、のみで構成した。このため、例えば、一対の足乗せ部を回動自在に共に支持する部材を設けた場合に比べ、コンパクトに構成できる。
また、使用者は、左右の足乗せ部１０に、両足をそれぞれ乗せ、外旋筋の力で、つま先側を開くように足乗せ部１０を回動させると、足乗せ部１０に固定された固定部２１，２１Ａには、つま先側を閉じる方向に戻る力が発生するので、効果的な外旋筋のトレーニングが可能となる。
更に、使用者は、例えば、床に載置されたＯ脚矯正器具１，１Ａの左右の足乗せ部１０に、両足をそれぞれ乗せるだけで、トレーニングを始めることができる。
したがって、コンパクトで、効果的なトレーニングを、素早く始められるＯ脚矯正器具を提供できる。
【００３４】
なお、本発明は前記第１実施形態及び前記第２実施形態に限定されるものではなく、本発明の目的を達成できる範囲での変形、改良等は本発明に含まれるものである。
【符号の説明】
【００３５】
１，１Ａ  Ｏ脚矯正器具
１０  足乗せ部
１１  足収容部
１２  ソール部
１２ａ  底面
１２１  シート
２０，２０Ａ  回動部
２１，２１Ａ  固定部
２１１  天板部
２１２  内壁部
２１２ａ  固定部溝
２２，２２Ａ  軸部
２２Ａ  軸部
２２ａ  床当接面
２２１，２２１Ａ  底板
２２１ａ  ゴム板
２２２  外壁部
２２２Ａ  外壁部
２２２ａ  軸部溝
２３  ベアリング
２３Ａ  スプリング
２３１Ａ  スプリング本体
２３２Ａ  固定部受け部
２３３Ａ  軸部受け部
【要約】
【課題】コンパクトで、効果的なトレーニングを、素早く始められるＯ脚矯正器具を提供すること。
【解決手段】Ｏ脚矯正器具１は、左右一対であり、上面側から使用者の足が載置される足乗せ部１０と、足乗せ部１０に固定され、その少なくとも一部が足乗せ部１０の下面側から突出する回動部２０と、を備え、回動部２０は、足乗せ部１０に固定される固定部２１と、固定部２１と回動自在に係合され、足乗せ部１０の底面１２ａから突出した位置に床面と当接する床当接面２２ａを有し、垂直方向に延びる軸部２２と、を有し、足乗せ部１０に固定される固定部２１には、軸部２２を中心に所定方向に回動させたきに、所定方向とは反対方向に戻る力が発生する。
【選択図】図３【図１】
0005764247.tif 000002
【図２】
0005764247.tif 000003
【図３】
0005764247.tif 000004
【図４】
0005764247.tif 000005
【図５】
0005764247.tif 000006
【図６】
0005764247.tif 000007
【図７】
0005764247.tif 000008
【図８】
0005764247.tif 000009